【手続補正書】
【提出日】平成31年2月5日(2019.2.5)
【手続補正１】
【補正対象書類名】明細書
【補正対象項目名】発明の名称
【補正方法】変更
【補正の内容】
【発明の名称】画像形成装置、通信制御方法、プログラム、及び印刷装置
【手続補正２】
【補正対象書類名】明細書
【補正対象項目名】０００１
【補正方法】変更
【補正の内容】
【０００１】
本発明は、画像形成装置、通信制御方法、プログラム、及び印刷装置に関し、特に、ＵＳＢデバイスとの通信を制御する画像形成装置、通信制御方法、プログラム、及び印刷装置に関する。
【手続補正３】
【補正対象書類名】明細書
【補正対象項目名】０００５
【補正方法】変更
【補正の内容】
【０００５】
本発明の目的は、ＵＳＢデバイスの制御の阻害の抑制と、電力の消費の低減とを両立することができる画像形成装置、通信制御方法、プログラム、及び印刷装置を提供することにある。
【手続補正４】
【補正対象書類名】明細書
【補正対象項目名】０００６
【補正方法】変更
【補正の内容】
【０００６】
上記目的を達成するために、本発明の画像形成装置は、ネットワークインタフェースとＵＳＢインタフェースとを有し、前記ネットワークインタフェースを介して情報処理装置と接続し、かつ、ＵＳＢインタフェースを介してＵＳＢデバイスと接続する画像形成装置であって、前記ネットワークインタフェースを介して接続されている前記情報処理装置との間で、前記ＵＳＢインタフェースを介して接続されている前記ＵＳＢデバイスを前記ネットワークインタフェースを介して接続されている前記情報処理装置が制御するための通信を確立する確立手段と、前記画像形成装置を所定の省電力モードに移行させる移行手段とを有し、前記移行手段は、前記確立手段によって前記通信が確立されている状態の前記画像形成装置を前記所定の省電力モードに移行させないことを特徴とする。
【手続補正５】
【補正対象書類名】特許請求の範囲
【補正対象項目名】全文
【補正方法】変更
【補正の内容】
【特許請求の範囲】
【請求項１】
ネットワークインタフェースとＵＳＢインタフェースとを有し、前記ネットワークインタフェースを介して情報処理装置と接続し、かつ、ＵＳＢインタフェースを介してＵＳＢデバイスと接続する画像形成装置であって、
前記ネットワークインタフェースを介して接続されている前記情報処理装置との間で、前記ＵＳＢインタフェースを介して接続されている前記ＵＳＢデバイスを前記ネットワークインタフェースを介して接続されている前記情報処理装置が制御するための通信を確立する確立手段と、
前記画像形成装置を所定の省電力モードに移行させる移行手段とを有し、
前記移行手段は、前記確立手段によって前記通信が確立されている状態の前記画像形成装置を前記所定の省電力モードに移行させないことを特徴とする画像形成装置。
【請求項２】
前記通信が確立している間、前記ネットワークインタフェースを介して前記情報処理装置から、前記ＵＳＢインタフェースを介して接続されている前記ＵＳＢデバイスを制御するためのパケットを取得して、該パケットに基づくデータ通信を前記ＵＳＢインタフェースを介して前記ＵＳＢデバイスと行う手段を更に有し、
前記ＵＳＢデバイスは、前記データ通信に従って動作することを特徴とする請求項１記載の画像形成装置。
【請求項３】
前記確立手段は、前記ネットワークインタフェースを介して前記情報処理装置から、前記ＵＳＢインタフェースを介して接続されている前記ＵＳＢデバイスを制御するためのパケットを取得する場合に、前記通信を確立することを特徴とする請求項１又は２記載の画像形成装置。
【請求項４】
前記確立手段は、前記ＵＳＢインタフェースを介して前記ＵＳＢデバイスが前記画像形成装置に接続されている状態で、前記通信を確立することを特徴とする請求項１乃至３のいずれか１項に記載の画像形成装置。
【請求項５】
前記確立手段によって前記通信が確立された場合に、前記所定の省電力モードへの移行を抑制するための情報を設定する設定手段を更に有し、
前記移行手段は、前記情報の設定に基づいて、前記確立手段によって前記通信が確立されている状態の前記画像形成装置を前記所定の省電力モードに移行させないことを特徴とする請求項１乃至４のいずれか１項に記載の画像形成装置。
【請求項６】
前記設定手段はさらに、前記通信が確立されている状態で、前記ネットワークインタフェースを介して前記情報処理装置から、前記ＵＳＢインタフェースを介して接続されている前記ＵＳＢデバイスを制御するためのパケットを最後に取得してからの経過時間に基づいて、前記情報の設定を解除し、
前記移行手段は、前記設定手段によって前記情報の設定が解除された後、前記通信が確立されている状態の前記画像形成装置を前記所定の省電力モードに移行させることを特徴とする請求項５記載の画像形成装置。
【請求項７】
印刷装置を介したＵＳＢデバイス及び該ＵＳＢデバイスを制御する制御装置の通信を制御する通信制御方法であって、
前記印刷装置に前記ＵＳＢデバイスが接続されたか否かを判別する第１の判別ステップと、
前記印刷装置に前記制御装置が接続されたか否かを判別する第２の判別ステップと、  前記ＵＳＢデバイスを制御するための前記印刷装置を介した通信が実行されているか否かを判別する第３の判別ステップと、
前記印刷装置及び前記ＵＳＢデバイスの通電を制御する通電制御ステップとを有し、  前記通電制御ステップは、前記印刷装置に前記ＵＳＢデバイス及び前記制御装置が接続され、且つ前記印刷装置を介した通信が実行されている場合、前記印刷装置及び前記ＵＳＢデバイスの通電が制限される省電力モードへ前記印刷装置及び前記ＵＳＢデバイスを移行させず、前記印刷装置に前記ＵＳＢデバイス及び前記制御装置が接続され、且つ前記印刷装置を介した通信が実行されていない場合、前記印刷装置及び前記ＵＳＢデバイスを前記省電力モードに移行させることを特徴とする通信制御方法。
【請求項８】
前記通電制御ステップは、前記印刷装置に前記ＵＳＢデバイス及び前記制御装置の少なくとも一方が接続されない場合、前記印刷装置及び前記ＵＳＢデバイスを前記省電力モードに移行させることを特徴とする請求項７記載の通信制御方法。
【請求項９】
前記通電を行う旨の指示をユーザから受け付ける受付ステップを更に有し、
前記受付ステップは、前記印刷装置に前記ＵＳＢデバイス及び前記制御装置が接続され、且つ前記印刷装置及び前記ＵＳＢデバイスを前記省電力モードに移行させない場合、前記通電を行う旨の指示を前記ユーザから受け付けないことを特徴とする請求項７又は８記載の通信制御方法。
【請求項１０】
前記印刷装置及び前記ＵＳＢデバイスが前記省電力モードに移行した場合、前記制御装置から送信された前記省電力モードからの復帰を指示する指示通知に基づいて前記印刷装置及び前記ＵＳＢデバイスを前記省電力モードから復帰させる復帰制御ステップを更に有することを特徴とする請求項７乃至９のいずれか１項に記載の通信制御方法。
【請求項１１】
印刷装置を介したＵＳＢデバイス及び該ＵＳＢデバイスを制御する制御装置の通信を制御する通信制御方法をコンピュータに実行させるプログラムであって、
前記通信制御方法は、
前記印刷装置に前記ＵＳＢデバイスが接続されたか否かを判別する第１の判別ステップと、
前記印刷装置に前記制御装置が接続されたか否かを判別する第２の判別ステップと、  前記ＵＳＢデバイスを制御するための前記印刷装置を介した通信が実行されているか否かを判別する第３の判別ステップと、
前記印刷装置及び前記ＵＳＢデバイスの通電を制御する通電制御ステップとを有し、  前記通電制御ステップは、前記印刷装置に前記ＵＳＢデバイス及び前記制御装置が接続され、且つ前記印刷装置を介した通信が実行されている場合、前記印刷装置及び前記ＵＳＢデバイスの通電が制限される省電力モードへ前記印刷装置及び前記ＵＳＢデバイスを移行させず、前記印刷装置に前記ＵＳＢデバイス及び前記制御装置が接続され、且つ前記印刷装置を介した通信が実行されていない場合、前記印刷装置及び前記ＵＳＢデバイスを前記省電力モードに移行させることを特徴とするプログラム。
【請求項１２】
通信を行う印刷装置であって、前記印刷装置を介したＵＳＢデバイス及び該ＵＳＢデバイスを制御する制御装置の通信を制御する印刷装置において、
前記ＵＳＢデバイスが接続されたか否かを判別する第１の判別手段と、
前記制御装置が接続されたか否かを判別する第２の判別手段と、
前記ＵＳＢデバイスを制御するための前記印刷装置を介した通信が実行されているか否かを判別する第３の判別手段と、
前記印刷装置及び前記ＵＳＢデバイスの通電を制御する通電制御手段とを備え、
前記通電制御手段は、前記ＵＳＢデバイス及び前記制御装置が接続され、且つ前記印刷装置を介した通信が実行されている場合、前記印刷装置及び前記ＵＳＢデバイスの通電が制限される省電力モードへ前記印刷装置及び前記ＵＳＢデバイスを移行させず、前記ＵＳＢデバイス及び前記制御装置が接続され、且つ前記印刷装置を介した通信が実行されていない場合、前記印刷装置及び前記ＵＳＢデバイスを前記省電力モードに移行させることを特徴とする印刷装置。
【請求項１３】
前記通電制御手段は、前記ＵＳＢデバイス及び前記制御装置の少なくとも一方が接続されない場合、前記印刷装置及び前記ＵＳＢデバイスを前記省電力モードに移行させることを特徴とする請求項１２記載の印刷装置。
【請求項１４】
前記通電を行う旨の指示をユーザから受け付ける受付手段を更に備え、
前記受付手段は、前記ＵＳＢデバイス及び前記制御装置が接続され、且つ前記印刷装置及び前記ＵＳＢデバイスを前記省電力モードに移行させない場合、前記通電を行う旨の指示を前記ユーザから受け付けないことを特徴とする請求項１２又は１３記載の印刷装置。
【請求項１５】
前記印刷装置及び前記ＵＳＢデバイスが前記省電力モードに移行した場合、前記制御装置から送信された前記省電力モードからの復帰を指示する指示通知に基づいて前記印刷装置及び前記ＵＳＢデバイスを前記省電力モードから復帰させる復帰制御手段を更に備えることを特徴とする請求項１２乃至１４のいずれか１項に記載の印刷装置。